(57)【要約】【課題】洗濯物の貼り付きを確実に防ぐことができる安全なドラム式洗濯乾燥機を提供する。【解決手段】ドラム式洗濯乾燥機は、外箱１内に配置された水槽３と、水槽３内に回転自在に配置され、洗濯物を収容するドラム４と、ドラム４内の洗濯物を乾燥させるための乾燥システム６と備えている。ドラム４には、水槽３とドラム４との間の空間とドラム４内の空間とを連通させる複数の連通孔２７が設けられている。水槽３には、連通孔２７と対向するように通風孔１４が設けられている。送風装置５０が通風孔１４へ向けて空気を吹き出すと、この空気が通風孔１４を通って水槽３内に入って、複数の連通孔２７を通ってドラム４内へ入る。これにより、脱水運転時に、ドラム４の内壁に張り付いた洗濯物をその空気の勢いを利用して剥がすことができる。【選択図】図２
2009232973.tif 000002
【特許請求の範囲】
【請求項１】
外箱と、
上記外箱内に配置された水槽と、
上記水槽内に回転自在に配置され、洗濯物を収容するドラムと、
上記ドラム内の洗濯物を乾燥させるための乾燥システムと、
上記ドラムに設けられ、上記水槽と上記ドラムとの間の空間と上記ドラム内の空間とを連通させる連通孔と、
上記水槽に、上記連通孔と対向するように設けられた通風孔と、
上記通風孔へ向けて空気を吹き出す送風装置と
を備えていることを特徴とするドラム式洗濯乾燥機。
【請求項２】
請求項１に記載のドラム式洗濯乾燥機において、
上記通風孔から上記送風装置への流体の浸入を防ぐ弁を備えていることを特徴とするドラム式洗濯乾燥機。
【請求項３】
請求項１または２に記載のドラム式洗濯乾燥機において、
上記弁は逆止弁または電磁弁であることを特徴とするドラム式洗濯乾燥機。
【請求項４】
請求項１から３までのいずれか一項に記載のドラム式洗濯乾燥機において、
上記送風装置は上記乾燥システムの一部であることを特徴とするドラム式洗濯乾燥機。
【請求項５】
請求項１から３までのいずれか一項に記載のドラム式洗濯乾燥機において、
上記送風装置は空気を吹き出す吹出口を有し、
上記吹出口が上記通風孔に取り付けられていることを特徴とするドラム式洗濯乾燥機。
【請求項６】
請求項４に記載のドラム式洗濯乾燥機において、
上記通風孔と上記送風装置とを接続する送風経路と、
上記乾燥システムによる温風を上記水槽内に案内する温風経路と、
上記送風経路および上記温風経路のうちの少なくとも一方に設けられた電磁弁と
を備えていることを特徴とするドラム式洗濯乾燥機。
【発明の詳細な説明】
【技術分野】
【０００１】
本発明はドラム式洗濯乾燥機に関する。
【背景技術】
【０００２】
従来、ドラム式洗濯乾燥機は、脱水運転時にドラムを回転させる。このとき、上記ドラムの回転速度が高速であったり、ドラム内の衣類が少量であったりすると、衣類が遠心力によってドラムの内周面に貼り付き、ドラムの回転が停止しても、ドラムの内周面から剥がれ落ちない場合がある。上記衣類がドラムの内周面に貼り付いた状態で乾燥運転が行われると、衣類がドラムの内周面に貼り付いたままで乾燥運転が終了し、その結果、衣類の乾燥が不十分になるか、または、衣類のシワが非常に多い仕上がりとなる。
【０００３】
このような衣類の貼り付きを防ぐためのドラム式洗濯乾燥機が、特開２００４−１０５２５０号公報（特許文献１）や特開２００７−１１７２７８号公報（特許文献２）で提案されている。
【０００４】
特許文献１では、ドラムの内周面に内方に突出した形態の壁部を設けることにより、その壁部を起点に衣類が剥がれ落ちるようにしている。
【０００５】
一方、特許文献２では、ドラムの内周面に可動突起を設けている。この可動突起は、ドラムの回転時には遠心力で、内方に突出しない状態であるが、ドラムの回転が停止すると、内方に突出する状態となる。したがって、上記ドラムが脱水運転の終了で停止すると、可動突起が突出するのに伴い、衝撃が生じる。この衝撃によって、ドラムの内周面から衣類が剥がし落とされる。
【０００６】
しかしながら、特許文献１のドラム式洗濯乾燥機には、ドラムの内周面から衣類を確実に剥がし落とすことができないという問題がある。
【０００７】
また、特許文献２のドラム式洗濯乾燥機には、可動突起物は耐久性を高くすることができない。当然に、上記可動突起が壊れて可動しなくなると、衣類の貼り付きを解消できなくなるという問題が発生してしまう。
【０００８】
また、上記可動突起が非突出状態から突出状態に切り替わるのはドラムの回転停止時にかぎらない。このため、上記ドラムの回転中つまり脱水運転中に、可動突起が突出状態となり、この可動突起の状態変化が原因で異常振動が発生する危険がある。
【特許文献１】特開２００４−１０５２５０号公報
【特許文献２】特開２００７−１１７２７８号公報
【発明の開示】
【発明が解決しようとする課題】
【０００９】
そこで、本発明の課題は、洗濯物の貼り付きを確実に防ぐことができる安全なドラム式洗濯乾燥機を提供することにある。
【課題を解決するための手段】
【００１０】
上記課題を解決するため、本発明のドラム式洗濯乾燥機は、
外箱と、
上記外箱内に配置された水槽と、
上記水槽内に回転自在に配置され、洗濯物を収容するドラムと、
上記ドラム内の洗濯物を乾燥させるための乾燥システムと、
上記ドラムに設けられ、上記水槽と上記ドラムとの間の空間と上記ドラム内の空間とを連通させる連通孔と、
上記水槽に、上記連通孔と対向するように設けられた通風孔と、
上記通風孔へ向けて空気を吹き出す送風装置と
を備えていることを特徴としている。
【００１１】
上記構成のドラム式洗濯乾燥機によれば、上記送風装置が吹き出した空気は通風孔から水槽内に入る。このとき、上記通風孔はドラムの連通孔と対向するように水槽に設けられているので、通風孔から水槽内に入った空気はドラムの連通孔に入る。このとき、上記ドラムの内面に貼り付いた洗濯物の一部が露出しているので、この洗濯物の一部に通風孔からの空気が当たる。これにより、上記ドラムの内面に貼り付いた洗濯物が剥がれ落ちる。
【００１２】
このように、上記送風装置が空気を吹き出すことによって、その空気が水槽の通風孔を通ってドラムの連通孔に入るので、洗濯物の貼り付きを確実に防ぐことができる。
【００１３】
したがって、乾燥運転の前に、送風装置の空気の吹き出しを行うことにより、洗濯物がドラムの内壁に貼り付いたままで乾燥運転が行われないようにして、洗濯物の乾燥が不十分になるのを防ぐことができ、かつ、洗濯物のシワを少なくすることができる。
【００１４】
また、上記送風装置の吹き出し空気で洗濯物の貼り付きを解消するので、水槽やドラムに異常振動が生じない。したがって、上記ドラム式洗濯乾燥機の安全性を確保することができる。
【００１５】
また、上記送風装置および通風孔で洗濯物の貼り付きを解消する方法は、上記特許文献２のような可動突起で洗濯物の貼り付きを解消する方法に比べて、構造をシンプルにすることができる。
【００１６】
また、上記ドラムの回転速度を３０ｒｐｍ〜５０ｒｐｍの範囲内に設定した状態で、送風装置を稼働させれば、ドラムの内面から洗濯物を効果的に剥がすことができる。
【００１７】
一実施形態のドラム式洗濯乾燥機は、
上記通風孔から上記送風装置への流体の浸入を防ぐ弁を備えている。
【００１８】
上記実施形態のドラム式洗濯乾燥機によれば、上記通風孔から送風装置への流体の浸入を弁で防ぐので、水槽内の液体が送風装置に入らないようにすることができる。
【００１９】
したがって、上記送風装置に防水機能を持たせなくてよいので、製造コストの上昇を抑制できる。
【００２０】
一実施形態のドラム式洗濯乾燥機では、
上記弁は逆止弁または電磁弁である。
【００２１】
上記実施形態のドラム式洗濯乾燥機によれば、上記弁は逆止弁であると、水槽内の液体が送風装置に入るのを自動的に防ぐことができる。
【００２２】
また、上記弁が電磁弁であると、送風装置と通風孔との間の空気流路の開閉の制御を自在に行うことできる。
【００２３】
一実施形態のドラム式洗濯乾燥機では、
上記送風装置は上記乾燥システムの一部である。
【００２４】
上記実施形態のドラム式洗濯乾燥機によれば、上記送風装置は、乾燥システムの一部であるので、洗濯物の貼り付きの解消と洗濯物の乾燥との両方に用いることができる。
【００２５】
したがって、上記洗濯物の貼り付きの解消と洗濯物の乾燥とを１つの送風装置で行えるので、構造をよりシンプルにすることができる。
【００２６】
一実施形態のドラム式洗濯乾燥機では、
上記送風装置は空気を吹き出す吹出口を有し、
上記吹出口が上記通風孔に取り付けられている。
【００２７】
上記実施形態のドラム式洗濯乾燥機によれば、上記送風装置の吹出口を水槽の通風孔に取り付けているので、送風装置の吹出口から水槽の通風孔に空気を案内する例えばダクトが不要となり、製造コストを低減できる。
【００２８】
一実施形態のドラム式洗濯乾燥機は、
上記通風孔と上記送風装置とを接続する送風経路と、
上記乾燥システムによる温風を上記水槽内に案内する温風経路と、
上記送風経路および上記温風経路のうちの少なくとも一方に設けられた電磁弁と
を備えている。
【００２９】
上記実施形態のドラム式洗濯乾燥機によれば、上記送風経路および温風経路のうちの少なくとも一方に電磁弁を設けているので、電磁弁の開閉操作することにより、送風経路または温風経路への送風を制御することができる。
【発明の効果】
【００３０】
本発明のドラム式洗濯乾燥機によれば、通風孔が水槽の連通孔と対向するようになっていることによって、送風装置が吹き出した空気が通風孔を通ってドラムの連通孔に入るので、この連通孔から露出する洗濯物の一部に当たる。
【００３１】
したがって、上記洗濯物とドラムの内面との密着力を弱めて、ドラムの内面から洗濯物を確実に剥がすことができる。
【００３２】
また、上記送風装置の吹き出し空気で洗濯物の貼り付きを解消することによって、水槽やドラムに異常振動が生じないので、安全である。
【発明を実施するための最良の形態】
【００３３】
以下、本発明のドラム式洗濯乾燥機を図示の実施の形態により詳細に説明する。
【００３４】
（第１実施形態）
図１に、本発明の第１実施形態のドラム式洗濯乾燥機を斜め上方から見た概略図を示す。
【００３５】
上記ドラム式洗濯乾燥機は、外箱開口部１１を有する外箱１を備えている。外箱１の前面部の大部分は前パネル１２から成り、外箱１の底部は底台１３から成っている。また、外箱１にはドア２がヒンジで回動自在に取り付けられている。このドア２により外箱開口部１１が開閉される。また、外箱１の上部には、操作キーや表示部を有する操作部１５が設けられている。この操作部１５の裏側（外箱１の内部側）には、ドラム式洗濯乾燥機の動作を制御する制御回路１７（図２参照）を配置している。また、外箱１の天面の後部には、その天面の前部よりも低い段部１６が設けられている。
【００３６】
なお、図１の４２は、洗剤、漂白剤および柔軟剤を収容する洗剤ケースである。
【００３７】
図２に、上記ドラム式洗濯乾燥機の概略断面図を示す。
【００３８】
上記ドラム式洗濯乾燥機は、外箱１内に配置された有底筒形状の水槽３と、この水槽３内に回転自在に配置され、洗濯物を収容する有底円筒形状のドラム４と、水槽３の後部に取り付けられ、ドラム４を回転駆動するモータ５と、ドラム４内の洗濯物を乾燥させるための乾燥システム６と、水槽３の後部を弾性支持する２本のダンパ７とを備えている。
【００３９】
上記外箱１の段部１６は水平面１６ａと鉛直面１６ｂとで構成されている。この水平面１６ａ、水槽３に水道の水を給水するための水道水給水口４１が設けられている。この水道水給水口４１は、給水ダクト２０を介して水槽３に接続されている。
【００４０】
上記給水ダクト２０で案内される水道水は、そのまま水槽３内に流入したり、洗剤または柔軟剤と混ざって水槽３内に流入したりする。また、給水ダクト２０には給水弁４３が設けられている。
【００４１】
上記水槽３の前面部には水槽開口部１８が設けられている。この水槽開口部１８の開口縁には、ゴムや軟質樹脂等の弾性体から成るパッキン１９が固着されている。これにより、ドア２を閉じると、ドア２がパッキン１９に密着するから、水槽３内の液体が水槽３外へ漏れ出るのを防げる。また、水槽３は、水槽開口部１８が外箱開口部１１に対向するように横向きに配置されている。より詳しくは、水槽３の中心軸は水平方向に対して５°〜３０°の角度を成すように傾斜している。水槽３の上部には、給水ダクト２０の一端部が接続されている。また、水槽３の下部には、水槽３内の洗濯水等を外部に排水するための排水ダクト２１が接続されている。さらに、この排水ダクト２１は、フィルタ２２を介して排水ホース２３に接続されている。このフィルタ２２は水槽３内から流れて来た液体中の糸屑を除去する。また、排水ホース２３には、排水モータ２４によって開閉される排水弁２５が設けられている。
【００４２】
上記ドラム４は、回転軸が水槽３の中心軸に対して外箱１の天面側に偏心するように配置されている。つまり、ドラム４の回転軸は水槽３の中心軸よりも水槽３の上部側に位置している。言い換えれば、ドラム４の回転軸を含む鉛直面内において、ドラム４の下部と水槽３の下部との距離は、ドラム４の上部と水槽３の上部との距離よりも大きくなっている。要するに、ドラム４は水槽３内の上部側に配置されている。また、ドラム４の回転軸は水平方向に対して５°〜３０°の角度を成すように傾斜している。そして、ドラム４の前面部には、外箱開口部１１および水槽開口部１８に対向するドラム開口部２６が設けられている。このドラム開口部２６は水槽開口部１８よりも大きな径を有している。また、ドラム４の周壁全域には複数の連通孔２７（図２では６つの連通孔２７以外の図示は省略する）が設けられている。この連通孔２７は、水槽３とドラム４との間の空間と、ドラム４内の空間との間で水道水や乾燥空気等を流通させるためのものである。また、ドラム４の内壁面には、半径方向内側に向かって突出するバッフル２８を設けている。バッフル２８は、周方向に例えば１２０°間隔で３ヶ所に配置されている。バッフル２８はドラム４の回転に伴って、洗濯物の持上げと落下とを繰り返す働きをする。また、ドラム４のドラム開口部２６を外側から取り囲む液体バランサ２９を設けて、ドラム４の回転時に、洗濯物および洗濯水等の偏りにより生じようとするアンバランスを、液体バランサ２９の内部における封入液体の移動によって打消すようにしている。なお、上記水槽３の中心軸とは、ドラム４の回転軸に垂直な面で水槽３を切った断面における重心位置を通る軸のことである。
【００４３】
また、上記水槽３上には送風装置５０が設置されている。この送風装置５０の吹き出し空気は、逆止弁４４および通風孔１４を通って、水槽３内に流入する。この通風孔４４は、水槽３の上部の周壁に、連通孔２７と対向するように設けられている。なお、逆止弁４４は弁の一例である。
【００４４】
上記ダンパ７の水槽３側とは反対側の端部は、ダンパ支持金具８のダンパ取付面３０に取り付けられている。
【００４５】
図３に、上記水槽３の概略正面図を示す。
【００４６】
上記水槽開口部１８の中心Ｃ１はドラム開口部２６の中心Ｃ２よりも外箱１の天面側にある。つまり、水槽開口部１８はドラム開口部２６に対して外箱１の天面側に偏心している。
【００４７】
上記乾燥システム６は、図２，図３に示すように、水槽３の中心軸を含み、かつ、この中心軸と直交する水平軸を含む面よりも下側に設けられている。また、乾燥システム６は、送風装置３１、加熱装置３２および除湿用熱交換器３３を有している。この乾燥システム６で生成した温風は、温風ダクト３９によって水槽３内に案内される。なお、温風ダクト３９は温風経路の一例である。
【００４８】
上記送風装置３１は、水槽３の後面下部に取り付けられている。また、送風装置３１は、ファンケース３４と、このファンケース３４内に収容された羽根３５と、この羽根３５を回転駆動するファンモータ３６とで構成されている。このファンモータ３６は羽根３５と直結し、ダイレクトドライブ構造によって羽根３５を回転駆動するようになっている。
【００４９】
上記加熱装置３２は、水槽３内の空間の下部に配置されている。より詳しくは、加熱装置３２は水槽３の内周面とドラム４の外周面との間に配置されている。そして、加熱装置３２は、ヒータケース３７と、ヒータケース３７に大部分が収容されたシーズヒータ３８とで構成されている。
【００５０】
上記ヒータケース３７は温風ダクト３９内に収容されている。この温風ダクト３９の前パネル１２側の端部は、水槽開口部１８の下縁とドラム開口部２６の下縁との間に位置する送風口４０を構成している。この送風口４０は、ドラム４内の空間の下部に向かって温風を吹き出す。
【００５１】
上記除湿用熱交換器３３は、水槽３内の空間の下部に、加熱装置３２と隣り合うように配置されている。より詳しくは、除湿用熱交換器３３は、水槽３の内周面とドラム４の外周面との間の洗濯水に浸かる領域に配置されている。
【００５２】
図４に、図２の送風装置５０およびその周辺部を拡大して示す。
【００５３】
上記送風装置５０は、ファンケース５１と、ファンケース５１内に収容された羽根５３と、この羽根５３を回転駆動するファンモータ５２とを有している。
【００５４】
上記ファンケース５１には、略円筒形状の吹き出し口５５と、開口部である吸い込み口５４とが設けられている。この吹き出し口５５は、水槽３の上部の周壁に設けられた通風孔１４に接続されている。一方、吸い込み口５４は、ファンケース５１と水槽３の上部の周壁との間の空気を吸い込めるように開口している。
【００５５】
上記逆止弁４４は吹き出し口５５に設けられている。この逆止弁４４は、送風装置５０から通風孔１４へ向かう流れのみを許すものである。これにより、通風孔１４から送風装置５０内への流体の浸入を防ぐことができる。
【００５６】
上記構成のドラム式洗濯乾燥機によれば、脱水運転を行った後、乾燥運転を開始する前に、送風装置５０を稼働させる。そうすると、上記送風装置５０は、吸い込み口５４から空気を吸い込み、吹き出し口５５からその空気を吹き出す。これにより、上記空気は、逆止弁４４および通風孔１４を通って水槽３内に入って、複数の連通孔２７を通ってドラム４内へ入り込む。これにより、脱水運転時に、ドラム４の内壁に張り付いた洗濯物をその空気の勢いを利用して剥がすことができる。
【００５７】
このように、上記ドラム４の内壁に張り付いた洗濯物を剥がした後、乾燥運転を開始することによって、ドラム４の内壁から洗濯物が剥がれているので、洗濯物の乾燥が不十分なまま乾燥運転が終わるのを防ぐことができると共に、乾燥運転後の洗濯物のシワを少なくすることができる。
【００５８】
また、上記送風装置５０の吹き出し空気で洗濯物の貼り付きを解消するので、水槽３やドラム４に異常振動が生じない。したがって、上記ドラム式洗濯乾燥機の安全性を確保することができる。
【００５９】
また、上記特許文献２のような可動突起で洗濯物の貼り付きを解消する方法はドラム構造を複雑にしてしまうが、送風装置５０および通風孔１４で洗濯物の貼り付きを解消する方法はドラム構造を複雑にすることはない。
【００６０】
また、上記通風孔１４から送風装置５０への液体の浸入を逆止弁４４で防げるので、送風装置５０に防水機能を持たせなくてよいので、製造コストの上昇を抑制できる。
【００６１】
また、上記吹き出し口５５に逆止弁４４を設けているので、水槽３内の液体が送風装置５０に入るのを自動的に防ぐことができる。
【００６２】
また、上記ドラム４の回転速度を３０ｒｐｍ〜５０ｒｐｍの範囲内に設定した状態で、送風装置５０を稼働させれば、ドラム４の内面から洗濯物を効果的に剥がすことができる。
【００６３】
上記第１実施形態では、通風孔１４は、水槽３の上部の周壁に設けていたが、水槽３の側部または下部の周壁に設けてもよい。
【００６４】
上記水槽３の側部または下部の周壁に通風孔を設ける場合も、この通風孔は連通孔２７と対向するように設ける。
【００６５】
また、上記水槽３の周壁に設ける通風孔の数は、１つに限定されず、複数個であってもよい。
【００６６】
上記第１実施形態では、吹き出し口５５に逆止弁４４を設けていたが、吹き出し口５５に電磁弁を設けてもよい。
【００６７】
上記吹き出し口５５に電磁弁を設けた場合、送風装置５０と通風孔１４との間の空気流路の開閉の制御を自在に行うことできる。
【００６８】
（第２実施形態）
図５に、本発明の第２実施形態のドラム式洗濯乾燥機の概略断面図を示す。また、図５において、図２に示した第１実施形態の構成部と同一構成部は、図２における構成部と同一参照番号を付して説明を省略するか、あるいは、説明を簡単にする。
【００６９】
上記第２実施形態のドラム式洗濯乾燥機は、上記第１実施形態の乾燥システム６とは異なる乾燥システム２０６を備えている。
【００７０】
上記乾燥システム２０６は、水槽３の後面下部に取り付けられた送風装置２３１を有している。この送風装置２３１は、ファンケース２３４と、このファンケース２３４内に収容された羽根３５と、この羽根３５を回転駆動するファンモータ３６とで構成されている。
【００７１】
また、上記第２実施形態のドラム式洗濯乾燥機は、２つの段部２１６，２６６が天面に設けられた外箱２０１と、この外箱２０１内に配置された水槽２０３とを備えている。
【００７２】
上記水槽２０３の後部側の上部の周壁には、連通孔２７と対向するように通風孔２１４が設けられている。この通風孔２１４は送風ダクト２７０を介してファンケース２３４と接続されている。なお、送風ダクト２７０は送風経路の一例である。
【００７３】
上記送風ダクト２７０のファンケース２３４側の端部には電磁弁２８０が設けられている。また、送風ダクト２７０の通風孔２１４側の端部には逆止弁２４４を設けている。
【００７４】
上記逆止弁２４４は、送風装置２３１から通風孔１４へ向かう流れのみを許すものである。これにより、通風孔２１４から送風ダクト２７０内への流体の浸入を防ぐことができる。
【００７５】
上記構成のドラム式洗濯乾燥機によれば、脱水運転を行った後、乾燥運転を開始する前に、電磁弁２８０を開き、送風装置２３１を稼働させる。つまり、上記乾燥システム２０６の加熱装置３２を停止させた状態で、電磁弁２８０を開くと共に、送風装置２３１を稼働させる。そうすると、上記送風装置２３１は、水槽２０３内の空気を吸い込み、その空気を送風ダクト２７０内に吹き込む。これにより、上記空気は、逆止弁２４４および通風孔２１４を通って水槽２０３内に入って、複数の連通孔２７を通ってドラム４内へ入り込む。これにより、脱水運転時に、ドラム４の内壁に張り付いた洗濯物をその空気の勢いを利用して剥がすことができる。
【００７６】
このように、上記ドラム４の内壁に張り付いた洗濯物を剥がした後、電磁弁２８０を閉じて、乾燥運転を開始する。つまり、つまり、上記電磁弁２８０を閉じると共に、加熱装置３２、除湿用熱交換器３３および送風装置２３１を稼働させる。これにより、ドラム４の内壁から洗濯物が剥がれた状態で、乾燥運転が行われる。その結果、洗濯物の乾燥が不十分なまま乾燥運転が終わるのを防ぐことができると共に、乾燥運転後の洗濯物のシワを少なくすることができる。
【００７７】
また、上記送風装置２３１の吹き出し空気で洗濯物の貼り付きを解消するので、水槽２０３やドラム４に異常振動が生じない。したがって、上記ドラム式洗濯乾燥機の安全性を確保することができる。
【００７８】
また、上記特許文献２のような可動突起で洗濯物の貼り付きを解消する方法はドラム構造を複雑にしてしまうが、送風装置２３１および通風孔２１４で洗濯物の貼り付きを解消する方法はドラム構造を複雑にすることはない。
【００７９】
また、上記通風孔２１４から送風装置２３１への液体の浸入を逆止弁２４４で防げるので、送風装置２３１に防水機能を持たせなくてよいので、製造コストの上昇を抑制できる。
【００８０】
また、上記送風ダクト２７０の通風孔２１４側の端部に逆止弁２４４を設けているので、水槽２０３内の液体が送風ダクト２７０内に入るのを自動的に防ぐことができる。
【００８１】
また、上記ドラム４の回転速度を３０ｒｐｍ〜５０ｒｐｍの範囲内に設定した状態で、送風装置２３１を稼働させれば、ドラム４の内面から洗濯物を効果的に剥がすことができる。
【００８２】
また、上記乾燥システム２０６の一部である送風装置２３１が、洗濯物の貼り付きを解消するための送風装置を兼ねるので、上記第１実施形態に比べて送風装置数が少なくなる。その結果、上記第１実施形態に比べて製造コストを低減することができ、かつ、内部構造をシンプルにすることができる。
【００８３】
上記第２実施形態では、通風孔２１４は、水槽２０３の上部の周壁に設けていたが、水槽２０３の側部または下部の周壁に設けてもよい。
【００８４】
上記水槽２０３の側部または下部の周壁に通風孔を設ける場合も、この通風孔は連通孔２７と対向するように設ける。
【００８５】
また、上記水槽２０３の周壁に設ける通風孔の数は、１つに限定されず、複数個であってもよい。
【００８６】
上記第２実施形態では、送風ダクト２７０の通風孔２１４側の端部に逆止弁２４４を設けていたが、送風ダクト２７０の通風孔２１４側の端部に電磁弁を設けてもよい。
【００８７】
上記送風ダクト２７０の通風孔２１４側の端部に電磁弁を設けた場合、送風装置２３１と通風孔２１４との間の空気流路の開閉の制御を自在に行うことできる。
【００８８】
上記第２実施形態において、温風ダクト３９に電磁弁を設けてもよい。この場合、上記送風ダクト２７０のファンケース２３４側の端部に電磁弁２８０を設けなくてもよいし、送風ダクト２７０のファンケース２３４側の端部に電磁弁２８０を設けてもよい。
【００８９】
上記第２実施形態では、送風ダクト２７０の通風孔２１４側の端部に逆止弁２４４を設けていたが、送風ダクト２７０の通風孔２１４側の端部に電磁弁を設けてもよい。
【００９０】
上記第２実施形態において、通風孔２１４から空気が吹き出している際、除湿用熱交換器３３による除湿を行ってもよい。この場合、通風孔２１４から乾いた空気が吹き出るので、ドラム４の内壁から洗濯物を剥がす効果をより高めることができる。
【００９１】
上記第１，第２実施形態において、除湿用熱交換器３３は、例えば水冷式のもであってもよいし、空冷式のものであってもよい。
【図面の簡単な説明】
【００９２】
【図１】図１は本発明の第１実施形態のドラム式洗濯乾燥機の概略斜視図である。
【図２】図２は上記第１実施形態のドラム式洗濯乾燥機の概略断面図である。
【図３】図３は上記第１実施形態のドラム式洗濯乾燥機の水槽の概略正面図である。
【図４】図４は図２の要部の拡大図である。
【図５】図５は本発明の第２実施形態のドラム式洗濯乾燥機の概略断面図である。
【符号の説明】
【００９３】
１，２０１  外箱
３，２０３  水槽
４  ドラム
６，２０６  乾燥システム
１４  通風孔
２７  連通孔
３９  温風ダクト
４４  逆止弁
５０，２３１  送風装置
５５  吹き出し口
２７０  送風ダクト
２８０  電磁弁
【図１】
2009232973.tif 000003
【図２】
2009232973.tif 000004
【図３】
2009232973.tif 000005
【図４】
2009232973.tif 000006
【図５】
2009232973.tif 000007